(57)【要約】      （修正有）【課題】予期しない光ビームがカメラレンズの集光領域に進入するのを防ぐことのできる撮像装置を提供する。【解決手段】撮像装置１００は、筐体１１０と、カメラモジュール１４０と、光源１２０と、透光素子１３０とを含む。筐体は、開口１１１および収容空間１１２を有する。カメラモジュールは、収容空間内に配置され、カメラモジュールは、集光領域１４１を有する。光源は、収容空間内に配置され、光ビームを生成するために使用される。透光素子は、開口に配置されて収容空間を覆い、収容空間と向かい合う透光素子の内表面は、光漏れ防止構造１５０を含む。光漏れ防止構造は、集光領域と光源の間に位置し、光ビームが集光領域に進入するのを妨害する。【選択図】図３
0003233071.tif 000002
【実用新案登録請求の範囲】
【請求項１】
開口および収容空間を有する筐体と、
前記収容空間内に配置され、集光領域を有するカメラモジュールと、
前記収容空間内に配置され、光ビームを生成するための光源と、
前記開口に配置されて前記収容空間を覆う透光素子と、
を含み、前記収容空間と向かい合う前記透光素子の内表面が、光漏れ防止構造を含み、前記光漏れ防止構造が、前記集光領域と前記光源の間に位置し、前記光ビームが前記集光領域に進入するのを妨害する撮像装置。
【請求項２】
前記光漏れ防止構造が、長方形またはＨ形を表し、前記透光素子の前記内表面に配分される請求項１に記載の撮像装置。
【請求項３】
前記光源が、発散角を有し、前記光漏れ防止構造が、前記発散角の前記内表面に対応する範囲外に配置された請求項１または２に記載の撮像装置。
【請求項４】
前記光漏れ防止構造が、複数の凹部および複数の凸部を含み、各前記凹部および各前記凸部が、互いに間隔を開けて配列され、隣接する２つの凹部の間の距離が、０．８ミリメートル〜１．７ミリメートルの間である請求項１〜３のいずれか１項に記載の撮像装置。
【請求項５】
前記光漏れ防止構造が、水平方向Ｎにおいてジグザグ状、波状、または不規則状を表す請求項１〜３のいずれか１項に記載の撮像装置。
【請求項６】
前記透光素子が、貫通孔を含み、前記カメラモジュールが、前記貫通孔に対応して設置された請求項１〜５のいずれか１項に記載の撮像装置。
【請求項７】
前記透光素子の前記内表面が、さらに、光吸収コーティング層を含み、且つ前記光吸収コーティング層が、前記貫通孔を取り巻く請求項６に記載の撮像装置。
【請求項８】
前記光吸収コーティング層の材質が、黒色インクである請求項７に記載の撮像装置。
【請求項９】
前記撮像装置が、さらに、前記収容空間に配置された基板を含み、前記光源が、前記基板に配置され、前記光源の前記基板に対する正投影と前記光漏れ防止構造の前記基板に対する正投影が、互いに距離を隔てた請求項１〜８のいずれか１項に記載の撮像装置。
【請求項１０】
前記撮像装置が、さらに、前記基板の上に配置され、且つ前記光源と前記集光領域の間に位置する遮断素子を含み、前記光ビームが前記透光素子以外の経路を通って前記集光領域に伝送されるのを防ぐ請求項９に記載の撮像装置。
【請求項１１】
前記撮像装置が、さらに、前記基板の上に配置された支持構造を含み、前記透光素子が、前記支持構造の上に配置され、前記透光素子と前記光源の間の間隔を維持する請求項９または１０に記載の撮像装置。
【請求項１２】
前記光源が、赤外光源を含む請求項１〜１１のいずれか１項に記載の撮像装置。
【請求項１３】
前記透光素子と前記光漏れ防止構造が、一体成型である請求項１〜１２のいずれか１項に記載の撮像装置。
【考案の詳細な説明】
【技術分野】
【０００１】
本考案は、撮像装置に関するものであり、特に、補光光源を含む撮像装置に関するものである。
【背景技術】
【０００２】
近年、カメラの運用がますます幅広くなっている。例を挙げて説明すると、赤外線カメラは、暗闇の環境で比較的優れた撮影効果を使用者に提供することができる。現在、市場における一部の赤外線カメラは、赤外線を補光光源として、光拡散素子により光線を遠くまで出力しなければならない。光拡散素子は、通常、カメラレンズのそばにあるため、赤外線が光拡散素子を通ってカメラレンズの集光領域に進入することがよくあり、カメラレンズが予期しない光ビームを受け取ることによって、最終画像の辺縁に露出オーバーが生じやすく、カメラの造影効果に影響を与える。
【０００３】
従来の解決法は、例えば、光拡散素子とカメラレンズの集光領域の周囲の間に光を透過しない物体、例えば、ゴムを増設して、光拡散素子を介して赤外線がカメラレンズに進入するのを阻止する方法である。しかしながら、上記の方法は、部品を増設することにより本来の外観設計に影響を与え、コストが増えるという欠点がある。
【考案の概要】
【考案が解決しようとする課題】
【０００４】
本考案は、予期しない光ビームがカメラレンズの集光領域に進入するのを防ぐことのできる撮像装置を提供する。
【課題を解決するための手段】
【０００５】
本考案の撮像装置は、筐体と、カメラモジュールと、光源と、透光素子とを含む。筐体は、開口および収容空間を有する。カメラモジュールは、収容空間内に配置され、カメラモジュールは、集光領域を有する。光源は、収容空間内に配置され、光ビームを生成するために使用される。レンズは、開口に配置されて収容空間を覆い、収容空間と向かい合うレンズの内表面は、光漏れ防止構造を含む。光漏れ防止構造は、集光領域と光源の間に位置し、光ビームが集光領域に進入するのを妨害する。
【考案の効果】
【０００６】
以上のように、本考案の撮像装置は、光漏れ防止構造を透光素子に配置するため、光源から出力された光ビームが透光素子上の光漏れ防止構造を通過した時に、光漏れ防止構造が光ビームを妨害して、光ビームがカメラモジュールの集光領域に進入するのを防ぎ、撮像装置の造影効果を上げるために使用することができる。
【０００７】
本考案の上記および他の目的、特徴、および利点をより分かり易くするため、図面と併せた幾つかの実施形態を以下に説明する。
【図面の簡単な説明】
【０００８】
【図１】図１は、本考案の１つの実施形態に係る撮像装置の概略図である。
【図２】図２は、図１の撮像装置の拡大概略図である。
【図３】図３は、図１の撮像装置の断面概略図である。
【図４Ａ】図４Ａは、図２の撮像装置の透光素子の底面概略図である。
【図４Ｂ】図４Ｂは、本考案の別の実施形態に係る透光素子の底面概略図である。
【図５】図５は、本考案のその他の実施形態に係る透光素子の底面概略図である。
【考案を実施するための形態】
【０００９】
図１は、本考案の１つの実施形態に係る撮像装置の概略図である。図２は、図１の撮像装置の拡大概略図である。図３は、図１の撮像装置の断面概略図である。図４Ａは、図２の撮像装置の透光素子の底面概略図である。図１〜図４Ａを参照すると、本実施形態の撮像装置１００は、筐体１１０と、光源１２０と、透光素子１３０と、カメラモジュール１４０とを含む。ここで、光源１２０は、例えば、赤外光であるが、その他の実施形態において、光源１２０は、例えば、白光または紫外光であるため、光源１２０の種類は、これに限定されない。
【００１０】
図２および図３を参照すると、筐体１１０は、開口１１１および収容空間１１２を有する。透光素子１３０は、開口１１１に配置され、且つ貫通孔１３２を含む。光源１２０は、収容空間１１２内に配置されて、光ビームＬを生成するために使用され、且つ光ビームＬは、透光素子１３０を通過する。詳しく説明すると、透光素子１３０は、光ビームＬの伝送経路上に位置する。カメラモジュール１４０は、収容空間１１２内に配置されて、貫通孔１３２に対応して設置され、且つ集光領域１４１を有する。図３に示すように、光ビームＬは、透光素子１３０を通過して、カメラモジュール１４０の方向に向かって伝送される。注意すべきこととして、図３の光ビームＬは、単なる参考として、破線の矢印により概略的に示している。
【００１１】
図３を参照すると、本実施形態において、光源１２０とカメラモジュール１４０は、水平方向Ｎに沿って互いに隣接する。光漏れ防止構造１５０は、透光素子１３０に配置され、且つ光源１２０と集光領域１４１の間にある。光源１２０が光ビームＬを出力した時、光ビームＬが透光素子１３０を通過し、且つ一部の光ビームＬが光漏れ防止構造１５０を通過する。この時、光漏れ防止構造１５０は、光ビームＬを妨害して、光ビームＬが集光領域１４１に進入するのを防ぐことができるため、撮像装置１００の造影効果を上げるために使用することができ、例えば、光斑が生成されるのを防ぐことができる。ここで、透光素子１３０と光漏れ防止構造１５０は、一体成型であるが、その他の実施形態においては、これに限定されない。
【００１２】
具体的に説明すると、本実施形態において、透光素子１３０は、光源１２０に対する外表面１３４および内表面１３１を有する。光源１２０は、発散角αを有し、光漏れ防止構造１５０は、発散角αの内表面１３１に対応する範囲（破線で示す）外に配置される。ここで、光源１２０の発散角αは、例えば、１２０°であるが、その他の実施形態において、光源１２０の発散角αは、実際のプロセスの必要に応じて異なる発散角度を選択することができるため、発散角αの範囲は、これに限定されない。ここで、外表面１３４は、平面であり、完全な外観設計を維持するが、その他の実施形態においては、これに限定されない。
【００１３】
図４Ａを参照すると、本実施形態において、光漏れ防止構造１５０は、複数の凹部１５１１および複数の凸部１５１２を含み、各凹部１５１１および各凸部１５１２は、水平方向Ｎに沿って互いに間隔を開けて配列され、連続したジグザグ状の輪郭を構成する。
【００１４】
本実施形態において、凹部１５１１および凸部１５１２の形状は、例えば、ジグザグ状であるが、その他の実施形態において、各凹部１５１１および各凸部１５１２の形状は、例えば、円弧状であり、連続した波状の輪郭を構成するため、凹部１５１１および凸部１５１２の形状は、これに限定されない。
【００１５】
本実施形態において、透光素子１３０の厚さＴ１は、１ミリメートル〜１．５ミリメートルの間であり、好ましくは、１．４５ミリメートルである。凸部１５１２の高さＴ２は、０．２ミリメートル〜０．５ミリメートルの間であり、好ましくは、０．４５ミリメートルである。互いに隣接する凹部１５１１の間の距離Ｄは、０．８ミリメートル〜１．７ミリメートルの間であり、好ましくは、１．３ミリメートルである。互いに隣接する凹部１５１１の間の斜面角度θは、１００°〜１２０°の間であり、好ましくは、１０５°である。本実施形態において、凹部１５１１と凸部１５１２のＲ面取りｒは、０．１°〜０．３°の間であり、好ましくは、０．２°である。しかし、その他の実施形態において、透光素子１３０と光漏れ防止構造１５０のサイズは、これに限定されない。本実施形態において、複数の凸部１５１２は、内表面１３１よりも低い（凹んでいる）が、その他の実施形態において、複数の凸部１５１２は、内表面１３１よりも高くてもよい（突出してもよい）ため、本発明はこれに限定されない。
【００１６】
本実施形態において、光漏れ防止構造１５０全体は、長方形を表し、透光素子１３０の内表面１３１に配分されるが、その他の実施形態においては、これに限定されない。図４Ｂは、本考案の別の実施形態に係る透光素子の底面概略図である。図４Ｂを参照すると、光漏れ防止構造１５０１は、例えば、Ｈ形を表し、透光素子１３０１の内表面１３１１に配分されるが、その他の実施形態においては、これに限定されない。
【００１７】
その他の実施形態において、光漏れ防止構造１５０は、粗面を含む。つまり、光源１２０の発散角αを透光素子１３０の内表面１３１に対応する範囲外で粗面化し、一部の内表面を粗面にする。光ビームＬの集光領域１４１に通じる伝送経路上に粗面を配分することにより、光源１２０の光ビームＬが透光素子１３０の粗面を通過した時に、粗面が光ビームＬを妨害して、光ビームＬが集光領域１４１に進入するのを防ぎ、さらに、最終画像の辺縁に露出オーバーが生じるのを防ぐことができるため、撮像装置１００の造影効果を上げるために使用することができる。
【００１８】
また、図２および図３を参照すると、本実施形態において、撮像装置１００は、さらに、収容空間１１２内に配置され、且つ透光素子１３０に面した上表面１６１を有する基板１６０を含み、光源１２０が上表面１６１に配置される。本実施形態において、光源１２０の基板１６０の上表面１６１に対する正投影と光漏れ防止構造１５０の基板１６０の上表面１６１に対する正投影は、互いに距離を隔てる。このような配置方法により、光漏れ防止構造１５０は、光源１２０が本来の透光素子１３０を介して遠くまで拡散させようとする効果に影響を与えないという利点を有する。
【００１９】
本実施形態において、基板１６０は、収容溝１６２を有し、カメラモジュール１４０は、カメラレンズ１４２および受け座１４３を含む。カメラレンズ１４２は、受け座１４３の上に配置され、受け座１４３は、収容溝１６２内に位置する。カメラレンズ１４２は、貫通孔１３２を突き抜けて、透光素子１３０において露出する。
【００２０】
本実施形態において、撮像装置１００は、さらに、基板１６０の上に配置された支持構造１８０および遮断素子１９０を含み、支持構造１８０は、遮断素子１９０に接続される。本実施形態において、遮断素子１９０は、光源１２０と集光領域１４１の間にあり、光源１２０およびカメラレンズ１４２を遮断するために使用される。このようにして、遮断素子１９０は、光ビームＬが透光素子１３０以外の経路を通ってカメラレンズ１４２の集光領域１４１に伝送されるのを防ぐことができる。つまり、光源１２０が出力した光ビームＬは、透光素子１３０を通してしか伝送されない。１つの実施形態において、支持構造１８０と遮断素子１９０は、一体であり、例えば、光を透過しない材質により製造されるが、別の実施形態において、支持構造１８０と遮断素子１９０は、２つの異なる部材を組み合わせて形成されてもよく、光ビームＬがカメラレンズ１４２の素子に進入するのを遮断することができれば、いずれも本考案の保護範囲に属する。
【００２１】
さらに説明すると、本実施形態において、支持構造１８０は、透光素子１３０を支持して、透光素子１３０を開口１１１にしっかりと配置させるために使用される。具体的に説明すると、図２に示すように、支持構造１８０は、頂面１８２および頂面１８２にある少なくとも１つの第１定位部１８３を含む。透光素子１３０は、支持構造１８０の頂面１８２に配置される。透光素子１３０は、少なくとも１つの第２定位部１３３を含み、第１定位部１８３は、第２定位部１３３に固定される。
【００２２】
ここで、第１定位部１８３は、凸柱であり、第２定位部１３３は凹孔である。つまり、透光素子１３０が支持構造１８０に固定される方法は、例えば、係合である。しかしながら、その他の実施形態において、固定方法は、例えば、粘着または締め付けであるため、本発明はこれに限定されない。
【００２３】
本実施形態において、第１定位部１８３の数を２個示し、第２定位部１３３の数を２個示したが、その他の実施形態において、第１定位部１８３、第２定位部１３３の数は、これに限定されない。
【００２４】
本実施形態において、支持構造１８０は、光源１２０およびカメラモジュール１４０の上方に位置し、且つ複数の孔Ｈを有する。各孔Ｈは、それぞれ対応し、且つ光源１２０およびカメラモジュール１４０を露出させる。透光素子１３０は、支持構造１８０に配置され、透光素子１３０と光源１２０およびカメラモジュール１４０の間の間隔を維持するため、光源１２０およびカメラレンズ１４２が透光素子１３０に圧迫されるのを防ぐことができる。
【００２５】
以下、その他の実施形態を挙げて説明する。ここで説明すべきこととして、下記の実施形態は、上述した実施形態の構成要素番号および一部の内容をそのまま用いるため、同じ、または類似する素子には同じ番号を採用して表示し、同じ技術内容については説明を省略する。省略した部分の説明については、上述した実施形態を参照することができるため、繰り返し説明しない。
【００２６】
図５は、本考案のその他の実施形態に係る透光素子の底面概略図である。図５を参照すると、本実施形態において、透光素子１３０Ａと図４Ａの透光素子１３０は、ほぼ同じであるが、透光素子１３０Ａの内表面１３１Ａがさらに光吸収コーティング層１７０を含む点で異なる。ここで、光吸収コーティング層１７０の材質は、例えば、黒色インクであるが、その他の実施形態においては、これに限定されない。
【００２７】
図３および図５を参照すると、図３の透光素子１３０を図５の透光素子１３０Ａに置き換えた時、光吸収コーティング層１７０は、光ビームＬが集光領域１４１に通じる伝送経路に配置される。そのため、光源１２０の光ビームＬが透光素子１３０Ａを通過した時、光吸収コーティング層１７０は光ビームＬを吸収するが、光漏れ防止構造１５０Ａが光ビームＬを妨害して、予期しない光ビームＬが集光領域１４１に進入するのを防ぐため、撮像装置１００の造影効果を上げるために使用することができる。
【００２８】
図５を参照すると、本実施形態において、光吸収コーティング層１７０は、貫通孔１３２Ａを取り巻き、且つ光漏れ防止構造１５０Ａに延伸する。しかしながら、その他の実施形態において、光吸収コーティング層１７０の範囲は、実際のプロセスの必要に応じて決めることができるため、本発明はこれに限定されない。
【００２９】
本実施形態において、光漏れ防止構造１５０Ａと光吸収コーティング層１７０は、両者を互いに組み合わせて使用するが、その他の実施形態において、光吸収コーティング層１７０のみを採用して撮像装置１００の造影品質の効果を上げることもできる。
【００３０】
以上のように、本考案の撮像装置は、光漏れ防止構造を透光素子に配置する。さらに説明すると、光漏れ防止構造は、光源の発散角の透光素子の内表面に対応する範囲外に配置される。したがって、光源から出力された光ビームが透光素子上の光漏れ防止構造を通過した時に、光漏れ防止構造が光ビームを妨害して、光ビームがカメラモジュールの集光領域に進入するのを防ぐことができるため、撮像装置の造影効果を上げるために使用することができる。１つの実施形態において、光漏れ防止構造は、光ビームの伝送経路を変更するための複数の凹部および複数の凸部を含むため、光ビームが集光領域に進入するのを妨害する効果を達成することができる。別の実施形態において、透光素子の内表面は、さらに、光ビームを吸収する光吸収コーティング層を含むため、ビームが集光領域に進入するのを阻止する効果を上げることができる。
【００３１】
本考案の撮像装置は、光漏れ防止構造を透光素子に配置するため、撮像装置の本来の外観設計に影響を与えない。光源から出力された光ビームが透光素子の光漏れ防止構造を通過した時、光漏れ防止構造が光ビームを妨害し、光ビームがカメラモジュールの集光領域に進入するのを防ぐことができるため、撮像装置の造影効果を上げるために使用することができる。それにより、カメラレンズが予期しない光ビームを受け取るのを防ぐことができるため、最終画像の辺縁に露出オーバーが容易に生じないようにすることができる。
【符号の説明】
【００３２】
１００  撮像装置
１１０  筐体
１１１  開口
１１２  収容空間
１２０  光源
１３０、１３０Ａ、１３０１  透光素子
１３１、１３１Ａ、１３１１  内表面
１３２、１３２Ａ  貫通孔
１３３  第２定位部
１３４  外表面
１４０  カメラモジュール
１４１  集光領域
１４２  カメラレンズ
１４３  受け座
１５０、１５０Ａ、１５０１  光漏れ防止構造
１５１１  凹部
１５１２  凸部
１６０  基板
１６１  上表面
１６２  収容溝
１７０  光吸収コーティング層
１８０  支持構造
１８２  頂面
１８３  第２定位部
１９０  遮断素子
Ｌ  光ビーム
Ｈ  孔
Ｎ  水平方向
Ｔ１  厚さ
Ｔ２  高さ
Ｄ  距離
ｒ  Ｒ面取り
α  発散角
θ  角度
【図１】
0003233071.tif 000003
【図２】
0003233071.tif 000004
【図３】
0003233071.tif 000005
【図４Ａ】
0003233071.tif 000006
【図４Ｂ】
0003233071.tif 000007
【図５】
0003233071.tif 000008